(57)【要約】【課題】種々様々な携帯情報端末を用いても、安定した状態で適切な画像を観察することができる顕微鏡を提供する。【解決手段】顕微鏡Ｍは、顕微鏡本体１と、顕微鏡本体１に対して複数の接続位置で着脱自在に接続可能な載置台２とを備える。載置台２は、複数種類の前記携帯情報端末が載置されたときに、各種の携帯情報端末のいずれかのカメラレンズと一致する位置に形成された複数の透視窓２ｄを有する。携帯情報端末Ｐのカメラレンズと透視窓２ｄとが一致した状態で、透視窓２ｄが顕微鏡本体１から光が出射されるレンズの位置に一致するように、載置台２と顕微鏡本体１とが接続可能に構成されている。【選択図】図５
2018031890.tif 000002
【特許請求の範囲】
【請求項１】
観察する試料の像を携帯情報端末が備えているカメラ機能により撮像し、ディスプレイに表示する顕微鏡であって、
顕微鏡本体と、該顕微鏡本体に対して複数の接続位置で着脱自在に接続可能であり、該顕微鏡本体に接続された状態で前記携帯情報端末が載置される載置台とを備え、
前記顕微鏡本体は、前記試料を載置するための試料載置部と、該試料載置部に載置された前記試料に光を照射する光源と、前記顕微鏡本体の内部に配置された光学系とを有し、
前記光学系は、前記試料載置部に載置された前記試料からの光が入射する対物レンズと、該対物レンズからの光が入射し、入射した光を前記顕微鏡本体の外部に出射する対眼レンズとを含み、
前記載置台は、複数種類の前記携帯情報端末のうちのいずれかが載置されたときに、各種の前記携帯情報端末のいずれかのカメラレンズと一致する位置に形成された複数の透視窓を有し、
前記携帯情報端末の前記カメラレンズと前記透視窓とが一致した状態で、該透視窓が前記対眼レンズの位置に一致するように、前記載置台と前記顕微鏡本体とが接続可能に構成されていることを特徴とする顕微鏡。
【請求項２】
請求項１に記載の顕微鏡において、
前記載置台は、前記顕微鏡本体に接続された状態で前記携帯情報端末が載置されたときに、該携帯情報端末の前記カメラレンズが該カメラレンズに対応する前記透視窓に一致する位置で該携帯情報端末を保持する保持部を備えていることを特徴とする顕微鏡。
【請求項３】
請求項１又は請求項２に記載の顕微鏡において、
前記載置台は、前記携帯情報端末を載置する載置板と、該載置板を支持する支持脚とを有することを特徴とする顕微鏡。
【請求項４】
請求項３に記載の顕微鏡において、
前記支持脚は、前記載置板に対して折りたたみ自在に設けられていることを特徴とする顕微鏡。
【発明の詳細な説明】
【技術分野】
【０００１】
本発明は、観察する試料の像を携帯情報端末が備えているカメラ機能により撮像し、ディスプレイに表示する顕微鏡に関する。
【背景技術】
【０００２】
従来、スマートフォンやタブレット端末等の携帯情報端末が備えているカメラ機能によって、観察する試料の像を撮影し、携帯情報端末のディスプレイに表示する携帯情報端末設置型の顕微鏡がある。この種の顕微鏡としては、光学系を内蔵する顕微鏡本体と、顕微鏡本体に接続可能であり、携帯情報端末を載置する載置台とを備えたものが知られている（例えば、特許文献１参照）。
【先行技術文献】
【特許文献】
【０００３】
【特許文献１】米国意匠特許発明第６８２９０３号明細書
【発明の概要】
【発明が解決しようとする課題】
【０００４】
しかし、特許文献１に記載の携帯情報端末設置型顕微鏡は、カメラレンズの位置がディスプレイとは反対側の面（背面）側の左上に設けられたスマートフォンを載置することのみを想定したものとなっている。
【０００５】
そのため、カメラレンズの位置の異なるスマートフォンやタブレット等を載置する場合、それらを本来想定されている位置とは異なる位置に載置しなければならず、カメラレンズに入射する光の位置がずれてしまい適切な観察ができなくなってしまったり、携帯情報端末の重量によって顕微鏡が傾いてしまったりするという問題があった。
【０００６】
本発明は以上の点に鑑みてなされたものであり、種々様々な携帯情報端末を用いても、安定した状態で適切な画像を観察することができる顕微鏡を提供することを目的とする。
【課題を解決するための手段】
【０００７】
上記目的を達成するために、本発明の顕微鏡は、観察する試料の像を携帯情報端末が備えているカメラ機能により撮像し、ディスプレイに表示する顕微鏡であって、顕微鏡本体と、該顕微鏡本体に対して複数の接続位置で着脱自在に接続可能であり、該顕微鏡本体に接続された状態で前記携帯情報端末が載置される載置台とを備え、前記顕微鏡本体は、前記試料を載置するための試料載置部と、該試料載置部に載置された前記試料に光を照射する光源と、前記顕微鏡本体の内部に配置された光学系とを有し、前記光学系は、前記試料載置部に載置された前記試料からの光が入射する対物レンズと、該対物レンズからの光が入射し、入射した光を前記顕微鏡本体の外部に出射する対眼レンズとを含み、前記載置台は、複数種類の前記携帯情報端末のうちのいずれかが載置されたときに、各種の前記携帯情報端末のいずれかのカメラレンズと一致する位置に形成された複数の透視窓を有し、前記携帯情報端末の前記カメラレンズと前記透視窓とが一致した状態で、該透視窓が前記対眼レンズの位置に一致するように、前記載置台と前記顕微鏡本体とが接続可能に構成されていることを特徴とする。
【０００８】
このように、本発明の顕微鏡では、複数種類の携帯情報端末のいずれかのカメラレンズと一致する位置に形成された複数の透視窓が載置台に形成されている。そして、載置台と顕微鏡本体とは、携帯情報端末のカメラレンズと透視窓とが一致した状態で、透視窓が対眼レンズの位置に一致するように、接続可能に構成されている。これにより、携帯情報端末のカメラ機能を介して試料の観察を行うことができる。
【０００９】
さらに、本発明の顕微鏡では、載置台は、顕微鏡本体に対して複数の接続位置で着脱自在に接続可能となっている。また、各透視窓は各種の携帯情報端末のいずれかのカメラレンズと一致する位置に形成されている。そのため、携帯情報端末の種類（すなわち、カメラレンズの位置）に応じて、接続位置を変更するだけで、載置台に対する携帯情報端末の位置を適切な位置に容易に維持することができる。
【００１０】
したがって、本発明の顕微鏡によれば、携帯情報端末のカメラレンズの位置に関わらず、載置台に対する携帯情報端末の位置を適切な位置にすることができるので、種々様々な携帯情報端末を用いても、安定した状態で適切な画像を観察することができる。
【００１１】
また、本発明の顕微鏡においては、前記載置台は、前記顕微鏡本体に接続された状態で前記携帯情報端末が載置されたときに、該携帯情報端末の前記カメラレンズが該カメラレンズに対応する前記透視窓に一致する位置で該携帯情報端末を保持する保持部を備えていることが好ましい。
【００１２】
このように構成すると、載置台と載置された携帯情報端末との相対位置がずれにくくなるので、携帯情報端末のカメラに入射する光の位置がずれにくくなり、さらに適切な画像を観察しやすくなる。
【００１３】
また、本発明の顕微鏡においては、前記載置台は、前記携帯情報端末を載置する載置板と、該載置板を支持する支持脚とを有することが好ましい。
【００１４】
載置板に載置された携帯情報端末がそのカメラレンズの位置によって載置板と顕微鏡本体との相対位置が変化するが、このように構成すると、載置板が顕微鏡本体だけでなく、支持脚によっても支持されるので、どの相対位置であっても携帯情報端末を安定して支持することができる。
【００１５】
また、本発明の顕微鏡においては、載置台が支持脚を有する構成の場合、前記支持脚は、前記載置板に対して折りたたみ自在に設けられていることが好ましい。
【００１６】
このように構成すると、支持脚を折りたたむだけで、載置台を収納に適した小さな形状に変形させることができるようになるので、非使用時のサイズを小さくすることができる。
【図面の簡単な説明】
【００１７】
【図１】本発明の実施形態に係る顕微鏡を示す斜視図。
【図２】図１の顕微鏡の内部の構造を示すＩＩ−ＩＩ線断面図。
【図３】図１の顕微鏡の顕微鏡本体を示す上方からの斜視図。
【図４】図１の顕微鏡本体の載置台を示す下方からの斜視図。
【図５】図１の顕微鏡に携帯情報端末を載置した状態を示す斜視図であり、図５Ａは背面側の左上にカメラレンズが配置された携帯情報端末を載置した状態、図５Ｂは背面側の上部中央にカメラレンズが配置された携帯情報端末を載置した状態、図５Ｃは背面側の右上にカメラレンズが配置された携帯情報端末を載置した状態を示す。
【発明を実施するための形態】
【００１８】
以下、図面を参照して、実施形態に係る顕微鏡Ｍについて説明する。顕微鏡Ｍは、観察する試料の像を携帯情報端末Ｐが備えているカメラ機能により撮像し、ディスプレイに表示するものである（図５参照）。
【００１９】
まず、図１〜図４を参照して、顕微鏡Ｍの構成について説明する。
【００２０】
図１に示すように、顕微鏡Ｍは、顕微鏡本体１と、その顕微鏡本体１に複数の位置で着脱自在に接続可能な載置台２とを備えている。
【００２１】
図２に示すように、顕微鏡本体１は、水平方向に窪んだ凹部が形成された筐体１ａと、筐体１ａの凹部の下方側に設けられた試料載置部１ｂと、筐体１ａの凹部の上方側に配置され、試料載置部１ｂに光を照射する光源１ｃと、筐体１ａの内部に配置された光学系１ｄとを有している。
【００２２】
光学系１ｄは、試料載置部１ｂの下方に配置された対物レンズ１ｄ１と、筐体１ａの内部で、対物レンズ１ｄ１からの光を反射するミラー１ｄ２と、ミラー１ｄ２を介して、対物レンズ１ｄ１からの光が入射し、入射した光を筐体１ａ（すなわち、顕微鏡本体１）の外部に出射する、対眼レンズ１ｄ３とを含んでいる。
【００２３】
図３に示すように、対眼レンズ１ｄ３の像側の円筒形状の部分は、筐体１ａの上面から突出している。
【００２４】
顕微鏡Ｍでは、このような光学系１ｄを有しているので、光源１ｃから試料載置部１ｂに載置された試料に照射された光は、その試料を透過した後、光学系１ｄを介して、筐体１ａの上方から拡大されて出射される。
【００２５】
載置台２は、携帯情報端末Ｐを載置する板状の載置板２ａと、載置板２ａを支持する板状の支持脚２ｂとによって、逆Ｌ字状の部材として構成されている。
【００２６】
載置板２ａと支持脚２ｂとは、ヒンジ２ｃによって相対的に回動可能に接続されており、支持脚２ｂを載置板２ａに対して折りたたみ自在となっている。これにより、載置台２は、支持脚２ｂを折りたたむだけで収納に適した小さな形状に変形させることができるようになっている。
【００２７】
載置台２は、後述するように顕微鏡本体１と載置台２との接続位置をいずれの位置に変更した場合（図５参照）であっても、顕微鏡本体１だけでなく支持脚２ｂによっても支持されるので、載置板２ａ（ひいては、その上に載置される携帯情報端末Ｐ）を安定して支持することができる。
【００２８】
図１，図２及び図４に示すように、載置板２ａには、携帯情報端末Ｐを載置する側の面（以下、「上面」という。）から顕微鏡本体１側の面（以下、「下面」という。）まで貫くようにして複数の円形の透視窓２ｄが形成されている。透視窓２ｄは、載置台２に載置される各種の携帯情報端末のいずれかのカメラレンズと一致する位置に形成されている。
【００２９】
載置板２ａの下面側には、透視窓２ｄの下方となる位置に、嵌合部２ｅが形成されている。嵌合部２ｅは、顕微鏡本体１の対眼レンズ１ｄ３（図３参照）の筐体１ａの上面から突出している円筒形状の部分に対し、複数の位置で嵌合可能な構成となっている。
【００３０】
載置台２がこのような透視窓２ｄと透視窓２ｄに対応するように構成された嵌合部２ｅとを備えているので、顕微鏡Ｍでは、顕微鏡本体１と載置台２とを接続した際には、載置台２に載置された携帯情報端末Ｐのカメラレンズと透視窓２ｄとが一致した状態で、透視窓２ｄが対眼レンズ１ｄ３の位置に一致する。
【００３１】
すなわち、載置台２と顕微鏡本体１とは、携帯情報端末Ｐのカメラレンズと透視窓２ｄとが一致した状態で、透視窓２ｄが対眼レンズ１ｄ３の位置に一致するように、接続可能に構成されている。これにより、顕微鏡Ｍは、携帯情報端末Ｐのカメラ機能を介して試料の観察を行うことができるようになっている。
【００３２】
載置板２ａの両側面には、上方に突出するようにして形成された一対の保持部２ｆが設けられている。この保持部２ｆによって、載置板２ａの上面に載置された携帯情報端末Ｐは、載置後に携帯情報端末Ｐと載置台２との相対位置のずれが防止されている。
【００３３】
次に、図４及び図５を参照して、顕微鏡本体１と載置台２との接続位置について説明する。
【００３４】
載置台２に載置する携帯情報端末ＰのカメラレンズＰ１が、携帯情報端末Ｐのディスプレイとは反対側（以下、「背面側」という。）の左上に設けられている場合には、図５Ａに示すように、嵌合部２ｅの最も左側の部分（図４参照）が顕微鏡本体１の上面から突出している対眼レンズ１ｄ３に嵌合するように、載置台２と顕微鏡本体１とが接続される。
【００３５】
また、載置台２に載置する携帯情報端末ＰのカメラレンズＰ１が、携帯情報端末Ｐの背面側の中央上部に設けられている場合には、図５Ｂに示すように、嵌合部２ｅの中央の部分（図４参照）が顕微鏡本体１の上面から突出している対眼レンズ１ｄ３に嵌合するように、載置台２と顕微鏡本体１とが接続される。
【００３６】
また、載置台２に載置する携帯情報端末ＰのカメラレンズＰ１が、携帯情報端末Ｐの背面側の右上に設けられている場合には、図５Ｃに示すように、嵌合部２ｅの最も右側の部分（図４参照）が顕微鏡本体１の上面から突出している対眼レンズ１ｄ３に嵌合するように、載置台２と顕微鏡本体１とが接続される。
【００３７】
このように、顕微鏡Ｍでは、載置台２は、顕微鏡本体１に対して複数の接続位置で着脱自在に接続可能となっており、また、透視窓２ｄは、各種の携帯情報端末Ｐのいずれかのカメラレンズと一致する位置に形成されている。そのため、携帯情報端末Ｐの種類（すなわち、カメラレンズの位置）に応じて、接続位置を変更するだけで、対眼レンズ１ｄ３に対する携帯情報端末Ｐのカメラレンズの位置を適切な位置に容易に維持することができる。
【００３８】
したがって、顕微鏡Ｍによれば、携帯情報端末Ｐのカメラレンズの位置に関わらず、載置台２に対する携帯情報端末Ｐの位置を適切な位置にすることができるので、種々様々な携帯情報端末Ｐを用いても、安定した状態で適切な画像を観察することができる。
【００３９】
以上、図示の実施形態について説明したが、本発明はこのような形態に限られるものではない。
【００４０】
例えば、上記実施形態においては、顕微鏡Ｍを、試料を透過した光を光学系に入射させる透過型顕微鏡として構成している。しかし、本発明の顕微鏡は透過型顕微鏡に限定されるものではなく、試料から反射された光を光学系に入射させる落射型顕微鏡であってもよい。
【００４１】
また、上記実施形態においては、光学系１ｄとして、対物レンズ１ｄ１、複数のミラー１ｄ２及び対眼レンズ１ｄ３を含むものを採用している。しかし、本発明の光学系は、そのような構成に限定されるものではなく、試料載置部に載置された試料からの光が入射する対物レンズと、対物レンズからの光が入射し、顕微鏡本体の外部に出射する対眼レンズを含むものであればよい。
【００４２】
また、上記実施形態においては、載置板２ａと支持脚２ｂとをヒンジ２ｃで回動可能に接続して構成することによって、載置台２の高さを調整可能なものとしている。しかし、本発明の載置台はこのような構成に限定されるものではない。例えば、支持脚を伸縮自在な構成としてヒンジを省略してもよい。また、折りたたみ機構を省略し、一枚のＬ字形に屈曲した板として載置台を形成してもよい。また、支持脚は、載置板を支持できるものであれば良いので、板状の部材ではなく棒状の部材を用いて構成してもよいし、逆三角形のような形状にしてもよい。さらに、載置板が十分な強度を有する場合等には、支持脚を省略してもよい。
【００４３】
また、上記実施形態においては、顕微鏡本体１と載置台２との接続部分の構造として、顕微鏡本体１の筐体１ａの上面から突出している対眼レンズ１ｄ３の像側の部分に、嵌合部２ｅを嵌合させて接続する構造を採用している。しかし、本発明の接続部分の構造はそのような構成に限定されるものではない。例えば、筐体１ａに嵌合凹部を設け、載置台の一部を挿入して接合する構成としてもよい。
【００４４】
また、上記実施形態においては、載置板２ａの両側面に一対の保持部２ｆを設けることによって、携帯情報端末Ｐと載置台２との相対位置のずれを防止している。しかし、本発明の保持部は、そのような構成に限定されるものではない。例えば、載置台の上面に滑り止めのゴム等を貼り付ける構成としてもよい。また、載置板の形状より大きめの携帯情報端末でも自由に搭載可能にすることができるようする場合には、保持部を省略してもよい。
【符号の説明】
【００４５】
１…顕微鏡本体、１ａ…筐体、１ｂ…試料載置部、１ｃ…光源、１ｄ…光学系、１ｄ１…対物レンズ、１ｄ２…ミラー、１ｄ３…対眼レンズ、２…載置台、２ａ…載置板、２ｂ…支持脚、２ｃ…ヒンジ、２ｄ…透視窓、２ｅ…嵌合部、２ｆ…保持部、Ｍ…顕微鏡、Ｐ…携帯情報端末、Ｐ１…カメラレンズ。
【図１】
2018031890.tif 000003
【図２】
2018031890.tif 000004
【図３】
2018031890.tif 000005
【図４】
2018031890.tif 000006
【図５】
2018031890.tif 000007